(57)【特許請求の範囲】
【請求項１】
内容物を充填する区画凹所を有する容器本体と、この容器本体に合わさり該区画凹所を密閉する蓋体とを備えたレフィル容器であって、
前記蓋体及び容器本体の何れか一方に枢軸を配置し、もう一方に該枢軸にスナップ嵌合させて該蓋体を揺動可能に保持するＣ型断面になるクリップを配置し、
前記枢軸及びクリップのいずれか一方の嵌合面に凸部を設けるとともに、もう一方の嵌合面に蓋体の揺動に合わせて該凸部を誘導するガイドとこのガイドの行き止まり端にて凸部を嵌合させて蓋体の容器本体に対する位置決めを行なう凹部を設け、
該凹部を、蓋体の開方向に向かう揺動にてその先端が容器本体の接地する面と合致する箇所に形成してなることを特徴とする簡易型蝶番を備えた蓋付きレフィル容器。
【発明の詳細な説明】
【０００１】
【発明の属する技術分野】
本発明は、コンパクト容器の内側に配置するのに好適な簡易型蝶番を備えた蓋（中蓋）付きのレフィル容器に関するものである。
【０００２】
【従来の技術】
化粧料を入れておく容器は、その携帯性をも考慮に入れたものとしてコンパクト容器が広く用いられている。
【０００３】
かかるコンパクト容器は、一つの容器でもって複数種類の化粧料を入れたり、化粧料とパフ等の塗布具を収納することを可能とし、かつ、内容物の揮発を防止することを目的として容器本体の中に蓋（中蓋）付きのレフィル容器を配置したものがある。
【０００４】
上記レフィル容器は、コンパクト容器と同様に、蓋体と容器本体は蝶番にて揺動可能に保持されたものが普通であるが、その蝶番は、構造の簡素化を図る観点からＣ型断面になるクリップを枢軸にスナップ嵌合させた構造が採用されている。
【０００５】
ところで、レフィル容器に内容物を充填するに当たっては内容物を充填したのちに蓋体を取り付ける作業手順がとられているのが普通であるところ、この作業手順に従った場合、とくに、固形物を内容物とするものにおいては、蓋体を枢軸に嵌合させる際の衝撃で充填にかかる内容物に割れが発生する不具合があり、商品歩留りの低下が避けられない不利がある。
【０００６】
このような不具合を解消するため、予め容器本体に蓋体を取り付けておき、蓋体を開けた状態で容器本体に内容物を充填していく作業手順の採用も考えられるが、この場合、容器本体に蓋体の重みが加わるため座りが悪くなって容器本体が傾くこともあり効率のよい充填作業を実現し難いところに問題を残している。
【０００７】
【発明が解決しようとする課題】
本発明は、コンパクト容器等において使用される、簡易蝶番を備えたレフィル容器につき、その蓋体を取り付けた状態であっても設置姿勢を安定的に維持できる新規な容器を提案することを目的とする。
【０００８】
【課題を解決するための手段】
本発明は、内容物を充填する区画凹所を有する容器本体と、この容器本体に合わさり該区画凹所を密閉する蓋体とを備えたレフィル容器であって、
前記蓋体及び容器本体の何れか一方に枢軸を配置し、もう一方に該枢軸にスナップ嵌合させて該蓋体を揺動可能に保持するＣ型断面になるクリップを配置してなり、
前記枢軸及びクリップのいずれか一方の嵌合面に凸部を設け、もう一方の嵌合面に蓋体の揺動に合わせて該凸部を誘導するガイドとこのガイドの行き止まり端にて凸部を嵌合させて蓋体の容器本体に対する位置決めを行なう凹部を設け、
前記凹部を、蓋体の開方向に向かう揺動にてその先端が容器本体の接地する面と合致する箇所に形成してなることを特徴とするレフィル容器である。
【０００９】
【発明の実施の形態】
以下、図面を参照して本発明をより具体的に説明する。
【００１０】
図１は本発明に従うレフィル容器の外観斜視図（容器本体から蓋体を取り外した状態）である。
【００１１】
図において１は内容物を充填する区画凹所Ｍを有する容器本体、２は容器本体１に合わさり区画凹所Ｍを密閉する蓋体である。蓋体２は気密状態を維持するためのパッキンと内容物の気化により発生する結露を収容する空間が設けられている。
【００１２】
また、３は容器本体１の側壁に一体成形された例で示した両端支持になる枢軸、４は蓋体２の側壁に一体成形された例で示したＣ型断面になるクリップであり、枢軸３とクリップ４にて簡易蝶番を構成する。５は枢軸３の嵌合面（外表面）の両端に設けられた凸部、６はクリップ４の嵌合面（内表面）に設けられ凸部５を誘導するガイド、そして、７は同じくクリップ４の嵌合面に設けられガイド６の行き止まり端にて凸部５を嵌合させて蓋体２の容器本体１に対する位置決めを行なう凹部であり、この凹部７は蓋体２の開方向に向かう揺動にてその先端が容器本体１の接地する面と合致する箇所に形成されている。
【００１３】
容器本体１の枢軸３に蓋体２のクリップ４をスナップ嵌合させた状態を図２に示す。
【００１４】
上記の構成になるレフィル容器は図３に示すようにコンパクト容器８（本体８ａ、蓋８ｂ）の中に装填されるものであり、この時、レフィル容器は気密状態にありクリップ４の凹部７と枢軸３の凸部５は図４に示すような位置関係にある。なお、図３のコンパクト容器８は、コンパクト左側のレフィル容器セット側のみを示してあり、図示されていない右側にはパフ等の塗布具の収納部を有している。
【００１５】
コンパクト容器８の蓋８ｂとレフィル容器の蓋体２を開放した図５に示すような使用状態（内容物の使用状態）においては、クリップ４の凹部７と枢軸３の凸部５とは図６に示すような位置関係にあり、蓋体２はガイド６の範囲内で揺動することになる。
【００１６】
図７はレフィル容器をコンパクト容器８の本体８ａに装填する前の段階（内容物の充填時）において蓋体２をさらに開いて接地させた状態を示したものである。
【００１７】
蓋体２をさらに開いて枢軸３の凸部５を図８に示す如くクリップ４の凹部７に嵌合させると蓋体２の先端が容器本体１の接地する面Ｌと合致したところで蓋体２の容器本体１に対する位置決めがなされ、容器本体１は非常に安定した設置姿勢に保つこととなり、この状態で容器本体１に内容物を充填する作業を実施することで充填作業の効率化が図られる。なお、内容物の充填終了後、蓋体２を閉じる際、凸部５を凹部７からガイド６へと強制的に離脱させることとなるが、嵌合部となる凸部５と凹部７が各々枢軸３の両端の２箇所しか設けられていないため、離脱時の衝撃は従来の後工程で蓋体を取り付けるときの衝撃と比較してはるかに小さく、内容物の割れは発生しない。
【００１８】
本発明の実施の形態では、枢軸３に凸部５を設け、クリップ４に凹部７を設けた場合について示したが、クリップ４に凸部５を設け、枢軸３に凹部７を設けるようにしてもよくこの点については限定されない。また蓋体３の容器本体１に対する位置決めが確実に行なえるものであればその形状は適宜に変更し得る。
【００１９】
【発明の効果】
本発明によれば、コンパクト容器等の内部に装填される簡易蝶番付きのレフィル容器につき、その蓋を付けた状態でも容器本体の設置姿勢が安定しているため内容物の充填を効率よく行なえる。
【図面の簡単な説明】
【図１】本発明に従うレフィル容器の外観斜視図である。
【図２】本発明に従うレフィル容器の側面を示した図である。
【図３】本発明に従うレフィル容器をコンパクト容器の中に装填した状態を示した図である。
【図４】図３の要部を拡大して示した図である。
【図５】図３に示した容器についてその使用状態を示した図である。
【図６】図５の要部を拡大して示した図である。
【図７】図３に示したレフィル容器を単体で示した図である。
【図８】図７の要部を拡大して示した図である。
【符号の説明】
１  容器本体
２  蓋体
２ａ  パッキン
２ｂ  吸収体
３  枢軸
４  クリップ
５  凸部
６  ガイド
７  凹部
８  コンパクト容器
８ａ  本体
８ｂ  蓋
Ｍ  区画凹所
【図１】
0004198373.tif 000002
【図２】
0004198373.tif 000003
【図３】
0004198373.tif 000004
【図４】
0004198373.tif 000005
【図５】
0004198373.tif 000006
【図６】
0004198373.tif 000007
【図７】
0004198373.tif 000008
【図８】
0004198373.tif 000009